(57)【要約】【課題】簡単に撮影画像の記録状態を把握したり、所望の撮影画像の検索を容易にすることを可能とする撮影画像表示装置および撮影画像表示方法の提供。【解決手段】記録されている撮影画像の縮小画像を期間（年、月、日）毎にカレンダ表示する。使用者が所望の縮小画像を指定すると指定された画像を検索して再生／表示する。例えば、月別表示指示があった場合には、図８に示すようなフォーマットの月別カレンダ表示画面８０を表示部に表示し、日付別編集テーブルの日付欄を現在の年月（１９９７年５月）でサーチしてその月内の縮小画像番号を取り出し、記録された縮小画像データを読み出して再生し、その月に撮影した画像の縮小画像を日別に表示する。使用者はスクロール表示ボタン８１４，８１５，８３１，８３２を操作して前後の縮小画像を表示し、所望の画像があった場合にはそれをポイントすると撮影画像が再生／表示される。【選択図】      図８
2006254481.tif 000002
【特許請求の範囲】
【請求項１】
複数の撮影画像を記憶する記憶手段と、
この記憶手段に記憶されている撮影画像を表示する表示手段と、
前記記憶手段に記憶されている前記複数の撮影画像を所定の撮影期間毎に分類する分類手段と、
この分類手段により分類された撮影画像を前記表示手段に表示させる表示制御手段と、
を有することを特徴とする撮影画像表示装置。
【請求項２】
前記所定の撮影期間を指定する指定手段を備えることを特徴とする請求項１記載の撮影画像表示装置。
【請求項３】
前記表示制御手段により前記表示手段に表示されている撮影画像のうち所望の撮影画像を指定する指定手段を備え、
前記表示制御手段は、さらに前記指定手段により指定された撮影画像を拡大表示させる手段を備えることを特徴とする請求項１又は２に記載の撮影画像表示装置。
【請求項４】
前記所定の撮影期間毎に文字を入力する文字入力手段を備え、
前記表示制御手段は、前記所定の撮影期間別に前記撮影画像及び前記文字入力手段により入力された文字を前記表示手段に表示させることを特徴とする請求項１乃至３いずれかに記載の撮影画像表示装置。
【請求項５】
前記所定の撮影期間毎に音声を入力する音声入力手段を備え、
前記表示制御手段は、前記所定の撮影期間別に前記撮影画像及び前記音声入力手段により入力された音声の存在を示す音声マークを前記表示手段に表示させることを特徴とする請求項１乃至４いずれかに記載の撮影画像表示装置。
【請求項６】
複数の撮影画像を記憶する記憶手段と、
この記憶手段に記憶されている撮影画像を表示する表示手段と、
撮影期間を指定する撮影期間指定手段と、
この撮影期間指定手段により指定された撮影期間中に撮影された撮影画像を前記記憶手段から読み出して前記表示手段に表示させる表示制御手段と、
を有することを特徴とする撮影画像表示装置。
【請求項７】
複数の撮影画像を記憶する記憶手段と、
この記憶手段に記憶されている撮影画像を表示する表示手段と、
前記記憶手段に記憶されている撮影画像を前記表示手段に表示させる際に、同一期間内に撮影された撮影画像が複数あはる場合、そのうちの１つを代表撮影画像として表示させる表示制御手段と、
を有することを特徴とする撮影画像表示装置。
【請求項８】
前記表示制御手段により前記表示手段に表示されている前記代表撮影画像を指定する指定手段を備え、
前記表示制御手段は、さらに、前記指定手段により前記代表撮影画像が指定された場合に、該代表撮影画像と同一期間内に撮影された撮影画像を前記表示手段に表示させる手段を備えることを特徴とする請求項７記載の撮影画像表示装置。
【請求項９】
記憶手段に記憶されている複数の撮影画像を所定の撮影期間毎に分類し、分類された撮影画像を表示手段に表示させることを特徴とする撮影画像表示方法。
【発明の詳細な説明】
【技術分野】
【０００１】
本発明は記録された撮影画像を表示する撮影画像表示技術に関する。
【背景技術】
【０００２】
デジタルカメラで撮影された被写体像は、ＣＣＤによる光電変換、信号変換及び信号処理等を経て記憶媒体に記録される。この場合、画像は記録媒体上に撮影した順番に記録されてゆく。
【０００３】
また、デジタルカメラの多くは液晶ディスプレイ等からなる表示装置を備えており、このようなデジタルカメラでは撮影後に記録媒体から読み出した再生画像を表示することができる。しかし、このようなデジタルカメラで再生画像を表示する場合には、記録された画像は撮影した順序で記録媒体から読み出されるので、表示装置の画面上にも撮影順に表示されるのが通常である。同様に、印刷のためプリンタに出力したり、外部機器に出力する場合にも撮影画像は撮影した順序で出力される。
【０００４】
記録された撮影画像を加工したり印刷出力しようとする場合や撮影した特定の画像を見ようとする場合には、記録された撮影画像を１枚ずつ再生して表示装置に表示したり、縮小画像を複数枚表示し、所望の画像が表示されるまでキー操作により画像を送る操作が行なわれている。
【発明の開示】
【発明が解決しようとする課題】
【０００５】
また、デジタルカメラでは、通常、撮影した画像を記録する際に、画像番号と撮影日付が画像毎に対応付けられて登録リストに登録され、再生／表示時に再生画像とその撮影日時が組合されて表示される。しかし、このような日付表示は、単に、画像上に表示されるだけのため、同じ日に撮影した画像の有無を知ろうとしても一見しただけでは分かりにくく、使用者がその都度日付を見て確認しなければならないという不具合があった。
【０００６】
また、撮影した画像データをフロッピー（登録商標）ディスク等の記録媒体に出力し、それらをパーソナルコンピュータやビデオプリンタ等の画像表示装置にセットして特定の画像を検索するような場合にも、一見して記録状態を知ることができないので、最新の画像から古い画像まで順次遡って早送り表示しながら見付ける必要があり、検索効率が悪いという問題点があった。
【０００７】
本発明は、上記不具合および問題点の解消を目的としてなされたものであり、使用者が簡単に撮影画像の記録状態を把握したり、所望の撮影画像の検索を容易にすることを可能とする撮影画像表示装置および撮影画像表示方法の提供を目的とする。
【課題を解決するための手段】
【０００８】
上記目的を達成するため、第１の発明の撮影画像表示装置は、複数の撮影画像を記憶する記憶手段と、この記憶手段に記憶されている撮影画像を表示する表示手段と、前記記憶手段に記憶されている前記複数の撮影画像を所定の撮影期間毎に分類する分類手段と、この分類手段により分類された撮影画像を前記表示手段に表示させる表示制御手段と、を有することを特徴とする。
【０００９】
第２の発明の撮影画像表示装置は、第１の発明において、前記所定の撮影期間を指定する指定手段を備えることを特徴とする。
【００１０】
第３の発明の撮影画像表示装置は、第１又は第２の発明において、前記表示制御手段により前記表示手段に表示されている撮影画像のうち所望の撮影画像を指定する指定手段を備え、前記表示制御手段は、さらに前記指定手段により指定された撮影画像を拡大表示させる手段を備えることを特徴とする。
【００１１】
第４の発明の撮影画像表示装置は、第１〜第３の発明のいずれかにおいて、前記所定の撮影期間毎に文字を入力する文字入力手段を備え、前記表示制御手段は、前記所定の撮影期間別に前記撮影画像及び前記文字入力手段により入力された文字を前記表示手段に表示させることを特徴とする。
【００１２】
第５の発明の撮影画像表示装置は、第１〜第４の発明のいずれかにおいて、前記所定の撮影期間毎に音声を入力する音声入力手段を備え、前記表示制御手段は、前記所定の撮影期間別に前記撮影画像及び前記音声入力手段により入力された音声の存在を示す音声マークを前記表示手段に表示させることを特徴とする。
【００１３】
第６の発明の撮影画像表示装置は、複数の撮影画像を記憶する記憶手段と、この記憶手段に記憶されている撮影画像を表示する表示手段と、撮影期間を指定する撮影期間指定手段と、この撮影期間指定手段により指定された撮影期間中に撮影された撮影画像を前記記憶手段から読み出して前記表示手段に表示させる表示制御手段と、を有することを特徴とする。
【００１４】
第７の発明の撮影画像表示装置は、複数の撮影画像を記憶する記憶手段と、この記憶手段に記憶されている撮影画像を表示する表示手段と、前記記憶手段に記憶されている撮影画像を前記表示手段に表示させる際に、同一期間内に撮影された撮影画像が複数あはる場合、そのうちの１つを代表撮影画像として表示させる表示制御手段と、を有することを特徴とする。
【００１５】
第８の発明の撮影画像表示装置は、第７の発明において、前記表示制御手段により前記表示手段に表示されている前記代表撮影画像を指定する指定手段を備え、前記表示制御手段は、さらに、前記指定手段により前記代表撮影画像が指定された場合に、該代表撮影画像と同一期間内に撮影された撮影画像を前記表示手段に表示させる手段を備えることを特徴とする。
【００１６】
第９の発明の撮影画像表示方法は、記憶手段に記憶されている複数の撮影画像を所定の撮影期間毎に分類し、分類された撮影画像を表示手段に表示させることを特徴とする。
【発明の効果】
【００１７】
以上説明したように、第１の発明および第９の発明によれば、撮影画像を撮影期間毎に分類し表示するので、画像の記録状態の把握および検索が容易になる。
【００１８】
また、第２の発明によれば、記録画像を期間毎に表示できるので画像の記録状態を全体的あるいは部分的な把握が容易である。
【００１９】
また、第３の発明によれば、期間毎に一覧表示された画像のうちから所望の画像を指定して対応する画像を再生できるので、画像の検索がキーワード等の入力なしに簡単にできる。
【００２０】
また、第４および第５の発明によれば、期間毎に文字および又は音声が表示されるので、画像の記録状態の把握および検索より一層容易になる。例えば、画像の一覧表示をカレンダ形式の画面上の表示欄に行なうので、見やすく、また、年、月、日というように階層的に画像の記録状態を把握できるので分かりやすく、また、所望の画像の検索がやりやすい。
【００２１】
第６の発明によれば、指定した期間の画像のみが表示されるので、迅速な画像検索が可能となる。
【００２２】
また、第７の発明によれば同一日に撮影された画像がある場合には代表として１つの画像を表示するようにしているので、見やすく、検索が迅速にできる。この場合、第８の発明のようにすれば、他の画像も同時に知ることができ便利である。
【発明を実施するための最良の形態】
【００２３】
＜回路構成例＞
図１は、本発明を適用した撮影画像表示装置の一実施例としてのデジタルカメラ（電子スチルカメラ）の回路構成例を示すブロック図であり、図１（ａ）で、デジタルカメラ１００は、光学系１１、信号変換部１２、信号処理部１３、ＤＲＡＭ１４、制御部２０、操作部３０、表示部４０、ＯＳＤデータ用ＲＯＭ４５、記録部５０および電源９０を有している。なお、音声を入力して音声データに変換してメモリーカード等のメモリーに登録し、或いは登録された音声データを復調して音声出力する入音声出力装置（図示せず）を備えるようにしてもよい。
【００２４】
光学系１１は、撮像レンズ１１１と光量測定装置を含む自動絞り機構１１２を含み、撮像レンズ１１１を介して集光された被写体像の光束を後段のＣＣＤ上に結像させる。
【００２５】
信号変換部１２は、ＣＣＤ，ＣＣＤ駆動用タイミング信号生成回路，ＣＣＤ駆動用垂直ドライバ，自動利得制御回路およびＡ／Ｄ変換器を含み、前段の光学系１１を介してＣＣＤに結像した画像を電気信号に変換し、デジタルデータ（以下、画像データ）に変換して一定の周期で出力する。
【００２６】
信号処理部１３は、カラープロセス回路およびＤＭＡコントローラを有し、信号変換部１２からの出力をカラープロセス処理して、デジタルの輝度、色差マルチプレクス信号（ＹＵＶデータ）とし、ＹＵＶデータをＤＲＡＭ１４の指定領域にＤＭＡ（ダイレクトメモリーアクセス）転送し、展開する。また、信号処理部１３は記録保存の際にＤＲＡＭ１４に書込まれているＹＵＶデータを読み出してＪＰＥＧ圧縮処理を施す。
信号処理部１３は、また、記録部５０を介して取り込まれた記録媒体（メモリーカード）５１に保存記録されていた画像データに伸張処理を施してＹＵＶデータを再生する。
【００２７】
制御部２０は図１（ｂ）に示すように、ＣＰＵ２１、ＲＡＭ２２、ＲＯＭ２３およびタイマー２４を有している。
ＤＲＡＭ１４は、撮影画像データや再生画像データを一時的に記憶する他、本発明の一覧表示手段１１０により生成される縮小画像（データ）を一時的に記憶する。
【００２８】
ＣＰＵ２１は、上述の各回路および図示しない電源切換えスイッチ等にバスラインを介して接続し、ＲＯＭ２３に格納されている制御プログラムによりデジタルカメラ１００全体の制御を行なうと共に、操作部３０からの状態信号に対応してデジタルカメラの各機能の実行制御、例えば、一覧表示手段１１０の実行による縮小画像のカレンダ形式の一覧表示や、ＲＯＭ２３内に格納された画像再生手段の実行による記録画像の再生処理の他、ＲＯＭ２３内に格納された各処理手段の実行による各機能の実現のための実行制御を行なう。
ＲＡＭ２２は内部メモリーに相当し、プログラム、データおよび処理結果の一時記憶および中間作業領域等に用いられる。
ＲＯＭ２３は上述の制御プログラムおよびデジタルカメラ１００のその他の各機能を実行させるためのプログラムを記録する記録媒体であり、ＰＲＯＭ、ＦＲＯＭ（フラッシュＲＯＭ）等が用いられる。
【００２９】
操作部３０は、カレンダー表示ボタン３７およびカーソル移動ボタン３８の他、機能選択用ボタン（複数個）、メインスイッチ、シャッターボタン、記録／再生モード切換えスイッチ等（図示せず）のスイッチやボタンを構成部分とし、これらのスイッチ或いはボタンが操作されると状態信号がＣＰＵ２１に送出される。また、表示部３０にタッチペンやマウスのようなポインティングデバイスを設けることもできる。
【００３０】
表示部４０は液晶ディスプレイ装置等の表示装置から構成されており、撮像時には被写体画像および機能選択画像が表示される。また、再生モード時には再生画像および本発明のカレンダー表示画像等を表示できる。
なお、表示部４０の画面を液晶表示素子からなる画面の上に透明な薄膜からなるタッチ電極面を設け、タッチペンや指でポイント可能に構成して図７〜図９の７１１〜７１６，７３１，７３２，７４、８１１〜８１６，８３１，８３２，８４、９１１〜９１６，９３１，９３２，９４のようなポイント用表示ボタンを表示可能にしてもよい。
【００３１】
ＲＯＭ４５には、表示部４０に表示するＯＳＤ（0n Screen Display;挿入表示）用の記号や、カレンダー表示用のフィーマットや、図形および文字等のデジタル化された情報が登録されている。なお、デジタルカメラ１００が音声出力装置を有する場合には、画像記録状態報知用のデジタル化された音声データの組を記録（登録）するようにしてもよい。
【００３２】
記録部５０は記録媒体を収容しＣＰＵ２１の制御により記録媒体５１上に信号処理部１３からの画像データを記録する。なお、実施例では記録部５０は記録媒体としてのメモリーカード５１を着脱可能に構成し、データの書込／読み出しを行なうように構成したが、フラッシュメモリー等の内部に固定された記録媒体にデータの書込／読み出しを行なうように構成してもよい。
【００３３】
メモリーカード５１には、図３に示すように各画像をそれぞれ記録する画像記録領域５１ー２の他に、夫々の画像の縮小画像を記録する縮小画像記録領域５１ー３と、縮小画像番号とその撮影日時を対応づけた画像登録リスト６０（図２）を記録する画像登録リスト領域５１ー１が設けられている。また、フラッシュメモリー５１上に、音声データ（デジタルデータ）を記録可能な音声データ登録領域を設けるようにしてもよい。
【００３４】
縮小画像は、画像の記録時に画像縮小手段（図示せず）によって縮小画像が作成される。縮小処理は、例えば、メモリーカード５１に記録されている画像データを読み出して一旦ＤＲＡＭ１４に記憶し、その画素を縮小比率分間引くことにより行なわれる。なお、画像縮小手段を記録時ではなく再生モード（或いは検索モード）で起動される後述の一覧表示手段１１０の実行の前段で起動するようにしてもよい。
【００３５】
画像登録リスト６０には、被写体画像をメモリーカード５１に記録する際に、図２に示すように記録画像の画像番号６１，その画像の撮影日時６２およびその画像を所定の比率で縮小した縮小画像の画像番号６３のほか、必要情報６４等，・・が登録されている。画像リストは画像の記録時に画像登録リスト更新手段（図示せず）により情報の更新／登録がなされる。
【００３６】
画像番号６１は記録された画像のメモリーカード５１上の相対位置を表わすものであり、番号或いは記録アドレスが記録時に登録される。また、撮影日時６２には被写体像の撮影時にタイマー２４からの時刻信号をもとに設定される日時が当該画像の記録時に登録される。
【００３７】
上記画像縮小手段および画像登録リスト更新手段はハードウエア回路で構成することもできるが本実施例ではこれらをプログラムで構成し、ＲＯＭ２３に記憶している。なお、画像縮小手段を一覧表示手段１１０の実行の前段で起動するようにした場合には、画像登録リスト更新手段では縮小画像番号の登録／更新を行なわず、画像縮小手段によりその実行時に行なうようにすることが望ましい。
【００３８】
＜一覧表示手段＞
一覧表示手段１１０は、記録されている画像を期間毎に分類して、使用者が簡単に画像の記録状態を把握することができるように所望の期間単位（例えば、年、四半期、月、日単位）で画像を一覧表示する。
【００３９】
図４は、一覧表示手段１１０の構成例を示すブロック図であり、一覧表示手段１１０は、指定期間判定手段１１１、テーブル編集手段１１２、カレンダ表示手段１１３、表示画像切換え手段１１４を有している。
【００４０】
一覧表示手段１１０はハードウエア回路で構成することもできるが本実施例ではこれらをプログラムで構成している。なお、一覧表示手段１１０の各モジュールのうちあるモジュールをハードウエア回路で、その他のモジュールをプログラムで構成するようにしてもよい。また、プログラムで構成された一覧表示手段１１０の各モジュールはＲＯＭ２３またはメモリーカード５１に記録され、制御プログラムのコントール下でＣＰＵ２１により実行制御されて、本実施例の画像のカレンダ表示処理を実現する。
【００４１】
指定期間判定手段１１１は、使用者の操作の結果、操作部３０からＣＰＵ２１に送られる状態信号を調べて画像のカレンダ表示指定を意味する信号（コード）があった場合にカレンダー形式の一覧表示処理を開始する。指定期間判定手段１１１は、また、カレンダ画面表示後に、その指定期間（年別表示、月表示、日表示等々）が変更されたか否かを調べ、変更された場合には対応する期間のカレンダ表示処理に移行する。
【００４２】
テーブル編集手段１１２は、メモリーカード５１をアクセスして画像登録リスト６０の画像番号６１の内容と撮影日時６２のうち日付（年／月／日）を取り出してＲＡＭ２２に一時記憶した後、日付順にソート（並べ替え）した日付別編集テーブル６８（図６（ａ））を得る。
なお、図６（ｂ）の日付別編集テーブル６８’に示すようにカウント値記録欄を設け、テーブル編集手段１１２で同一日に撮影された縮小画像の数をカウントして記憶するようにしてもよい。この場合、同じ日に撮影された他の画像の縮小画像のカウント値欄の内容は０（ゼロ）とする。
【００４３】
カレンダ表示手段１１３は、指定期間判定手段１１１で得た指定期間に基づいてカレンダ表示画面の表示およびカレンダ表示画面内の日付別表示欄に縮小画像を表示する。例えば、年別表示指示があった場合には、図７に示すような表示画面の月別表示欄７２に、その月内に撮影された画像の縮小画像を表示し、月指定の場合には図８に示すような表示画面の日付別表示欄８２に、指定期間（月）内に撮影された画像を日別に表示し、日指定の場合には図９に示すような表示画面の表示欄９２にその日に撮影された画像を表示（マルチ表示）する。
カレンダ表示手段１１３は、また、使用者の操作によりカレンダ表示画面の表示欄７２，８２，または９２の表示内容（日付および対応の縮小画像）をスクロールアップ／ダウンさせる。
なお、同一日に撮影した画像が複数ある場合には代表画像（例えば、その日の最初に撮った画像）を１個表示するようにし（図９（ｂ））、指示によりその日に撮った画像をマルチ表示（図９（ａ））するようにしてもよい。
【００４４】
表示画像切換え手段１１４は、年表示から他の年表示又は月表示への表示切換え、月表示から他の年の同月表示又は日表示への表示切換え、日表示から他の年または他の月の同一日表示への表示切換え等を行なう。表示画像切換え手段１１４は、また、縮小画像が指定された場合には画像再生処理を行なうために画像再生手段への切換えを行なう。
【００４５】
上述のような画像表示を行なうために、カレンダ表示手段１１３は、図５（ａ）に示すようにサブモジュールとしてカレンダ画面表示手段１１３１，縮小画像再生手段１１３２，縮小画像表示手段１１３３およびスクロール表示手段１１３４を有している。
【００４６】
カレンダ画面表示手段１１３１は図７〜図９に示すようなフォーマットのカレンダ表示画面（＝カレンダ表示用フォーマット画面）７０，８０，９０を表示部４０に表示する。
【００４７】
縮小画像再生手段１１３２は、指定期間判定手段１１１で得た指定期間を基に日付別編集テーブル６８をサーチして指定期間内に該当する縮小画像番号を取り出し、その縮小画像番号を基にメモリーカード５１から縮小画像データを日付順に順次読み出して再生する。
【００４８】
縮小画像表示手段１１３３は、日付け（期、月または日）および再生された縮小画像を日付に対応させて一覧表示画面７０，８０，９０の表示欄７２，８２，９２に表示する。また、同じ日に複数の画像がある場合は図７（ａ），図８（ａ），図９（ａ）に示すように表示欄７２，８２，９２に表示可能な数の縮小画像をマルチ表示する。
【００４９】
スクロール表示手段１１３４は、使用者が一覧表示画面７０，８０または９０の右側に表示されているスクロールボタン（表示ボタン）７３１，８３１，９３１（↑）、７３２，８３２，９３２（↓）をカーソルまたはタッチペンや指でポイントすると、日付別編集テーブル６８を逆順または正順（昇順）に１ヵ月分または一日分ずつサーチして日付（期、月または日）および対応の縮小画像を表示する。この場合、表示欄７２，８２，９２に表示されていた縮小画像は１段ずつ上方或いは下方にスクロール表示される（右から左、或いは左から右にスクロール表示するようにしてもよい）。また、日付もスクロールに従って変化した日付（期、月または日）が表示される。
【００５０】
なお、実施例ではスクロールボタン（表示ボタン）７３１，８３１，９３１（↑）、７３２，８３２，９３２（↓）をカーソルやタッチペンや指でポイントするようにしたが、スクロール用機能ボタンをカメラ上（例えば、上部や側部）に設けてスクロール用機能ボタンの操作によりスクロールするようにしてもよい。
また、カレンダ表示手段１１３に、図５（ｂ）に示すようにサブモジュールとしての代表縮小画像再生手段１１３２’を設け、同じ日に複数の画像がある場合にはそのうちの１つを代表縮小画像として表示するようにしてもよい（なお、実施例ではその日の最初に撮られた画像の縮小画像を代表縮小画像としたが、これに限定されない）。
【００５１】
代表縮小画像再生手段１１３２’はカレンダ画面表示手段１１３１によって一覧表示画面７０，８０，９０のいずれかが表示された後、指定期間判定手段１１１で得た指定期間を基に日付別編集テーブル６８’をサーチして指定期間内に該当する縮小画像番号を基にカウント値≧１の縮小画像データを代表縮小画像として読み出して日付と対応させてＤＲＡＭ１４の縮小画像バッファに一時記憶する。
【００５２】
縮小画像表示手段１１３３は、日付（期、月または日）およびＤＲＡＭ１４に格納された代表縮小画像を日付順に一覧表示画面７０，８０，９０の表示欄７２，８２，９２に表示する。図９（ｂ）は一覧表示画面９０の表示欄９２に拡大表示した代表縮小画像の例である。また、代表縮小画像はスクロールボタン７３１，８３１，９３１（↑）或いは７３２，８３２，９３２（↓）がカーソルまたはタッチペンや指でポイントされた場合に、図９（ｃ）に示すようにスクロール表示手段１１３４でスクロールすることができる。
【００５３】
所望の代表縮小画像が表示されている画面、例えば、図９（ｂ）で切換えボタン９１６をカーソルまたはタッチペンや指でポイントすると、縮小画像再生手段１１３２に遷移して指定期間判定手段１１１で得た指定期間を基に日付別編集テーブル６８をサーチして指定期間内に該当する縮小画像番号を基にメモリーカード５１から縮小画像データを読み出して日付と対応させてＤＲＡＭ１４の縮小画像バッファに一時記憶し、更に、縮小画像表示手段１１３３に遷移して図９（ａ）に示すようなマルチ画面が表示される。このマルチ画面もスクロールボタン７３１，８３１，９３１（↑）或いは７３２，８３２，９３２（↓）がポイントされた場合にスクロール表示手段１１３４でスクロールすることができる。
【００５４】
なお、図９（ｂ）で表示されている縮小画像が代表縮小画像である場合、すなわち、同じ日に撮影した縮小画像が他にある場合、その旨を音声や表示により報知するようにしてもよい。このように構成すれば、スクロール検索時の検索もれをなくすことができる。
また、図９（ｂ）では、縮小画像を１つずつ表示するようにしたが、複数の縮小画像（代表縮小画像を含む）を一度に表示（例えば、マルチ画面表示）するようにして、この中の代表縮小画像を選択した場合に、図９（ａ）に示すような表示に遷移するようにしてもよい。
【００５５】
図７は、カレンダ表示画面の一実施例を示す図であり、ある年（この例では１９９７年）を指定してその年に撮影した画像があった場合にそれを月毎に表示する年別カレンダ表示画面の例であり、本実施例では一覧表示処理の開始画面と兼用されている。また、期間が無指定の場合には現在の年を期間とする。
なお、図７の例では画面サイズの制約上４半期毎に（３ヵ月分ずつ）表示しているが、この例に限定されず、６ヵ月分或いは１２ヵ月を表示するようにしてもよく、画面の大きさに応じてフォーマットを定めればよい。
【００５６】
図７で、符号７１１〜７１３はカレンダ選択用表示ボタンであり、これらのいずれかをポイントすると指定された期間のカレンダ表示画面に切換えられ、その期間の縮小画像等が表示される。例えば、図７（ａ）の画面でボタン７１２（月別カレンダ表示画面選択ボタン）をポイントすると、図８（ａ）のような月別カレンダ表示画面が表示される。この場合、図７（ａ）からも明らかなように１９９７年４月、６月に撮影した画像がないので、４、６月分の表示欄は空表示され５月分の撮影画像がマルチ表示されている。
【００５７】
符号７１４，７１５は期間スクロール用表示ボタンを示し、これらのいずれかをポイントすると、その期間の前または後の期間に移行する。例えば、図７（ａ）でボタン７１５をポイントすると図７（ｂ）に示すように１９９７年第２四半期（４〜６月）の次の期である１９９７年第３四半期（７〜９月）に表示欄７２の内容が切換えられる。
【００５８】
符号７１６は画像再生用表示ボタン（兼、切換えボタン（代表縮小画像→マルチ画像切換えボタン））を示し、所望の縮小画像をポイントしてから画像再生用表示ボタン７１６をポイントすると日付別編集テーブル６８（または６８’）がサーチされ、ポイントされた縮小画像に対応する画像番号が取り出され、画像再生処理に遷移して指定された撮影画像が再生される。
なお、図５（ｂ）に示したように一覧表示手段１１０に代表縮小画像再生手段１１３２’が設けられている場合には、ポインティングデバイスで所望の代表縮小画像をポイントすると、その代表縮小画像が複数の縮小画像を代表している場合にはマルチ画像が表示される（図９（ｂ）→図９（ａ））。また、符号７３１，７３２はスクロール用表示ボタンであり、符号７４は一覧表示処理の終了用表示ボタンである。
【００５９】
図８は、カレンダ表示画面の一実施例を示す図であり、年別カレンダ画面７０または日別カレンダ画面９０から切換えがあった場合に表示される月別カレンダ表示画面の例である。
また、図８の例では画面サイズの制約上、１週間分ずつ表示しているが、この例に限定されず、１０日月分、１５日分、１ヵ月分を表示するようにしてもよく、画面の大きさに応じてフォーマットを定めればよい。
【００６０】
図８で、符号８１１〜８１３はカレンダ選択用表示ボタンであり、図７の場合と同様にこれらのいずれかをポイントすると指定された月のカレンダ表示画面に切換えられる。また、符号８１４，８１５は期間スクロール用表示ボタンを示し、図７の場合と同様にこれらのいずれかをポイントすると、その月の前後の月に移行する。例えば、図８（ａ）でボタン８１２をポイントしてからボタン８１４をポイントすると図８（ｂ）に示すように１９９７年５月の前の年である１９９６年５月に縮小画面表示欄８２の内容が切換えられる。符号８１６，８３１，８３２，８４は図７の場合と同様の意味を有し、同様の動作を行なう。
【００６１】
図９は、カレンダ表示画面の一実施例を示す図であり、年別カレンダ画面７０または月別カレンダ画面８０から切換えのあった場合に表示される日別カレンダ表示画面の例である。
図９で、符号９１１〜９１３はカレンダ選択用表示ボタンであり、図７の場合と同様にこれらのいずれかをポイントすると指定された日のカレンダ表示画面に切換えられる。また、符号９１４，９１５は期間スクロール用表示ボタンを示し、図７の場合と同様にこれらのいずれかをポイントすると、その日の前後の日に移行する。
また、図９（ａ）は同じ日に複数の画像が撮影された場合に、それらを表示欄９２に表示が可能な数を限度として表示するマルチ表示の例であり、この例では１９９７年５月１７日に取った３枚の画像全てが表示されている。また、図９（ｂ）は代表縮小画像の表示例であり、この例では１９９７年５月１７日に取った３枚の画像のうち最初に取った犬の画像９５が表示されている。なお、この例では代表縮小画像に拡大処理を施しているが、縮小比率のままで表示してもよい。また、図９（ｃ）は、代表縮小画像のスクロール（↓）例である。符号９１６，９３１，９３２，９４は図７の場合と同様の意味を有し、同様の動作を行なう。
【００６２】
＜一覧表示動作例＞
［一覧表示用機能の選択］
図１０は一覧表示機能選択時の制御部の動作例を示すフローチャートである。
ＣＰＵ２１は、操作部３０から送られてくる状態信号を調べ、画像の一覧表示機能選択を意味する信号（コード）の場合にはＳ２に遷移し、そうでない場合には他の機能の処理モードに遷移する（Ｓ１）。
次に、画像登録リスト６０の画像番号６１の内容と撮影日時６２のうち日付を取り出して、日付順にソートした日付別編集テーブル６８（図６（ａ））を作成しＲＡＭ２２に一時記憶すると共に、期間指定コードを年指定に初期設定する（Ｓ２）。
【００６３】
［カレンダ表示画面の選択］
更に、ＣＰＵ２１は状態信号（期間指定コード）を調べてそれが年別表示指示を意味する場合にはＳ１１に遷移し、そうでない場合にはＳ２０に遷移する（Ｓ１０）。また、状態信号が月別表示指示を意味する場合にはＳ２１に遷移し、そうでない場合にはＳ３０に遷移する（Ｓ２０）。また、日別表示指示を意味する場合にはＳ３１に遷移し、そうでない場合にはＳ４０に遷移する（Ｓ３０）。更に、処理の終了を意味する場合には一覧表示処理を終了し、そうでない場合にはＳ１０に戻って使用者の指示入力を持つ（Ｓ４０）。
【００６４】
［年別カレンダ表示］
年別表示指示があった場合には、ＣＰＵ２１は図７に示すようなフォーマットの年別カレンダ表示画面７０を表示部４０に表示し（Ｓ１１）、ＲＡＭ２２の日付別編集テーブル６８の日付欄を現在の年でサーチしてその年内の縮小画像番号を取り出し、メモリーカード５１から縮小画像データを読み出して再生し（Ｓ１２）、年（１９９７年），期（２／四半期）および月（４〜６月）を表示すると共に表示欄７２に縮小画像を表示する（Ｓ１３）。
ＣＰＵ２１は状態信号を調べ、スクロール用表示ボタン７１４，７１５，７３１，または７３２がポイントされた場合にはＳ１５に遷移し、そうでない場合にはＳ５０に遷移する（Ｓ１４）。
上記Ｓ１４でスクロール用表示ボタンがポイントされた場合には、ＲＡＭ２２の日付別編集テーブル６８をサーチしてスクロール分の縮小画像番号を取り出し、メモリーカード５１から縮小画像データを読み出して再生し、Ｓ１３に遷移する（Ｓ１５）。
【００６５】
［月別カレンダ表示］
月別表示指示があった場合には、ＣＰＵ２１は図８に示すようなフォーマットの月別カレンダ表示画面８０を表示部４０に表示し（Ｓ２１）、ＲＡＭ２２の日付別編集テーブル６８の日付欄を現在の年月でサーチしてその月内の縮小画像番号を取り出し、メモリーカード５１から縮小画像データを読み出して再生し（Ｓ２２）、年（１９９７年）および月（５月）を表示すると共に表示欄８２に縮小画像を表示する（Ｓ２３）。なお、図８では表示部４０の画面の制約上１週間分ずつ日別に表示している。
ＣＰＵ２１は状態信号を調べ、スクロール用表示ボタン８１４，８１５，８３１，または８３２がポイントされた場合にはＳ２５に遷移し、そうでない場合にはＳ５０に遷移する（Ｓ２４）。
上記Ｓ２４でスクロール用表示ボタンがポイントされた場合には、ＲＡＭ２２の日付別編集テーブル６８をサーチしてスクロール分の縮小画像番号を取り出し、メモリーカード５１から縮小画像データを読み出して再生しＳ２３に遷移する（Ｓ２５）。
【００６６】
［日別カレンダ表示］
日別表示指示があった場合には、ＣＰＵ２１は図９に示すようなフォーマットの日別カレンダ表示画面９０を表示部４０に表示し（Ｓ３１）、ＲＡＭ２２の日付別編集テーブル６８の日付欄を現在の日でサーチしてその日に撮影された縮小画像番号を取り出し、メモリーカード５１から縮小画像データを読み出して再生し（Ｓ３２）、年（１９９７年），月（５月）および日（１７日）を表示すると共に表示欄９２にその日の縮小画像をマルチ表示する（Ｓ３３）。
ＣＰＵ２１は状態信号を調べ、スクロール用表示ボタン９１４，９１５，９３１，または９３２がポイントされた場合にはＳ３５に遷移し、そうでない場合にはＳ５０に遷移する（Ｓ３４）。
上記Ｓ３４でスクロール用表示ボタンがポイントされた場合には、ＲＡＭ２２の日付別編集テーブル６８をにサーチしてスクロール分の縮小画像番号を取り出し、メモリーカード５１から縮小画像データを読み出して再生しＳ３３に遷移する（Ｓ３５）。
【００６７】
［画像の再生／表示］
カレンダ表示画面７０，８０または９０に表示された切換えボタン７１６，８１６または９１６をポイントし、次に、表示された縮小画像のうちの所望の縮小画像をポイントすると、その縮小画像の縮小画像番号から対応する画像の画像番号が取り出され、その画像番号の画像データがメモリーカード５１から読み出されて再生処理され、表示部４０に表示される（Ｓ５０，Ｓ５１）。
上記動作により使用者はメモリーカード５１に記録されている画像の状態を簡単に知ることができ、また、所望の画像を簡単に検索することができる。
【００６８】
＜代表縮小画像表示機能付加時の一覧表示動作例＞
図１１はデジタルカメラ１００に代表縮小画像表示機能を付加した場合のフローチャートであり、Ｓ１〜Ｓ１０，Ｓ２０，Ｓ３０までとＳ５０以降の動作は図１０１０の場合と同様である。
【００６９】
［年別カレンダ表示］
図１１（ａ）は、図１０１０のＳ１０で、年別表示指定のあった場合のフローチャートである。
Ｓ１１で、図７に示すようなフォーマットの年別カレンダ表示画面７０を表示部４０に表示した後、Ｓ１１’でマルチ画像表示であるか否かを判定し、否であるとＣＰＵ２１はＲＡＭ２２の日付別編集テーブル６８’の日付欄を現在の年でサーチしてその年内のカウント値≧１の縮小画像データを代表縮小画像とし、その縮小画像番号を取り出してメモリーカード５１から縮小画像データを読み出して再生して（Ｓ１−１１）、日付（年、期および月）を表示すると共に表示欄７２に代表縮小画像を表示する（Ｓ１−１２）。
【００７０】
次に、ＣＰＵ２１は状態信号を調べ切換えボタン７１６がポイントされた場合にはＳ１２に遷移し、そうでない場合にはＳ１４に遷移する（Ｓ１−１３）。
上記Ｓ１−１３で切換えボタン７１６がポイントされた場合には、ＣＰＵ２１はＲＡＭ２２の日付別編集テーブル６８’の日付欄を現在の年でサーチしてその年内の縮小画像番号を取り出し、メモリーカード５１から縮小画像データを読み出して再生し（Ｓ１２）、図７（ａ），（ｂ）に示すように年（１９９７年），期（２／四半期）および月（４〜６月）を表示すると共に表示欄７２に縮小画像をマルチ表示する（Ｓ１３）。
ＣＰＵ２１は更に状態信号を調べ、スクロール用表示ボタン７１４，７１５，７３１，または７３２がポイントされた場合にはＳ１５’に遷移し、そうでない場合にはＳ５０に遷移する（Ｓ１４）。
上記Ｓ１４でスクロール用表示ボタンがポイントされた場合には、ＲＡＭ２２の日付別編集テーブル６８をサーチしてスクロール分の縮小画像番号を取り出し、メモリーカード５１から縮小画像データを読み出して再生しＳ１−１２に遷移する（Ｓ１５’）。Ｓ１１’でマルチ画像表示と判定されれば、Ｓ１２に行く。
【００７１】
［月別カレンダ表示］
図１１（ｂ）は、図１０１０のＳ２０で、月別表示指定のあった場合のフローチャートである。
Ｓ２１で、図８に示すようなフォーマットの年別カレンダ表示画面８０を表示部４０に表示した後、Ｓ２１’でマルチ画像表示であるか否かを判定し、否であると、ＣＰＵ２１はＲＡＭ２２の日付別編集テーブル６８’の日付欄を現在の年でサーチしてその月内のカウント値≧１の縮小画像データを代表縮小画像とし、その縮小画像番号を取り出してメモリーカード５１から縮小画像データを読み出して再生して（Ｓ２−１１）、日付（年、および月）を表示すると共に表示欄８２に代表縮小画像を表示する（Ｓ２−１２）。
【００７２】
次に、ＣＰＵ２１は状態信号を調べ切換えボタン８１６がポイントされた場合にはＳ２２に遷移し、そうでない場合にはＳ２４に遷移する（Ｓ２−１３）。
上記Ｓ２−１３で切換えボタン８１６がポイントされた場合には、ＣＰＵ２１はＲＡＭ２２の日付別編集テーブル６８’の日付欄を現在の年月でサーチしてその月の縮小画像番号を取り出し、メモリーカード５１から縮小画像データを読み出して再生し（Ｓ２２）、図８（ａ），（ｂ）に示すように年（１９９７年），月（５月）を表示すると共に表示欄８２に縮小画像をマルチ表示する（Ｓ２３）。
ＣＰＵ２１は更に状態信号を調べ、スクロール用表示ボタン８１４，８１５，８３１，または８３２がポイントされた場合にはＳ２５’に遷移し、そうでない場合にはＳ５０に遷移する（Ｓ２４）。
上記Ｓ２４でスクロール用表示ボタンがポイントされた場合には、ＲＡＭ２２の日付別編集テーブル６８’をサーチしてスクロール分の縮小画像番号を取り出し、メモリーカード５１から縮小画像データを読み出して再生しＳ２−１２に遷移する（Ｓ２５’）。Ｓ２１’でマルチ画像表示であると判定されると、Ｓ２２に行く。
【００７３】
［日別カレンダ表示］
図１１（ｃ）は、図１０１０のＳ３０で、日別表示指定のあった場合のフローチャートである。
Ｓ３１で、図９に示すようなフォーマットの年別カレンダ表示画面９０を表示部４０に表示した後、Ｓ３１’でマルチ画像表示であるか否かを判定し、否であると、ＣＰＵ２１はＲＡＭ２２の日付別編集テーブル６８’の日付欄を現在の年月日でサーチしてその日に撮影されたカウント値≧１の縮小画像データを代表縮小画像とし、その縮小画像番号を取り出してメモリーカード５１から縮小画像データを読み出して再生して（Ｓ３−１１）、図９（ｂ）に示すように日付（年・月・日）を表示すると共に表示欄９２に代表縮小画像を表示する（Ｓ３−１２）。
【００７４】
次に、ＣＰＵ２１は状態信号を調べ切換えボタン９１６がポイントされた場合にはＳ３２に遷移し、そうでない場合にはＳ３４に遷移する（Ｓ３−１３）。
上記Ｓ３−１３で切換えボタン９１６がポイントされた場合には、ＣＰＵ２１はＲＡＭ２２の日付別編集テーブル６８’の日付欄を現在の年月日でサーチしてその日の縮小画像番号を取り出し、メモリーカード５１から縮小画像データを読み出して再生し（Ｓ３２）、図９（ａ）に示すように、年（１９９７年），月（５月）および日（１７日）を表示すると共に表示欄９２にその日の縮小画像を表示する（Ｓ３３）。
ＣＰＵ２１は更に状態信号を調べ、スクロール用表示ボタン９１４，９１５，９３１，または９３２がポイントされた場合にはＳ３５’に遷移し、そうでない場合にはＳ５０に遷移する（Ｓ３４）。
上記Ｓ３４でスクロール用表示ボタンがポイントされた場合には、ＲＡＭ２２の日付別編集テーブル６８’をサーチしてスクロール分の縮小画像番号を取り出し、メモリーカード５１から縮小画像データを読み出して再生しＳ３−１２に遷移する（Ｓ３５’）。Ｓ３１’でマルチ画像表示であると判定されると、Ｓ３２に行く。
上記動作により使用者はメモリーカード５１に記録されている画像の状態を簡単に知ることができ、また、所望の画像を簡単に検索することができる。また、代表画像を表示することにより、所望の画像の有無の見当が付けやすくなり画像検索がより迅速に行なえる。
【００７５】
＜変形実施例１＞
図１２は、本発明の画像検索装置の変形実施例としての電子メモ帳の表示画面の一例を示す図であり、電子メモ帳１２０は液晶表示素子からなる表示画面とその画面上に形成された感圧素子を配設した透明な薄膜から構成される画面１２８を有する表示部と図示しないメモリーカード装着部と図１のデジタルカメラと同様の構成の制御部および表示手段等のプログラムおよび画像登録リストを備えてなり、メモリーカードに記録された撮影画像を縮小再生してカレンダー形式で画像表示欄１２２に表示する。
また、表示画面のメモ欄１２３にタッチペン１２９でメモを書込んで記録・保存し、それを再生表示することができる。また、書込んだメモは消去することもできる。入力された文字は文字データとしてメモリーカード５１の文字データ登録領域に画像データと対応づけて登録される。また、再生時に文字データ登録領域から読み出して音声に変換／再生され音声出力することができる。なお、画像データと文字データの対応づけは画像登録リストにメモ番号欄を設けて対応付けるようにできる。
【００７６】
図１２で、符号１２１１〜１２１３はカレンダ選択用表示ボタンであり、これらのいずれかをタッチペン１２９または指でポイントすると指定された期間（年、月、日）のカレンダ表示画面に切換えられ、その期間の縮小画像等が表示される。図１２の画面は月別カレンダ表示画面の例である。符号１２１４，１２１５は期間スクロール用表示ボタンを示し、これらのいずれかをポイントすると、その期間の前または後の期間に移行する。
また、符号１２１６は画像再生用表示ボタン（兼、切換えボタン（代表縮小画像→マルチ画像切換えボタン））を示し、タッチペン１２９で所望の縮小画像をポイントしてから画像再生用表示ボタン１２１６をポイントすると撮影画像再生処理に遷移して指定された撮影画像が画像表示欄１２２に再生／表示され、メモの全文がメモ欄１２３に表示される。
【００７７】
符号１２４１は記録用表示ボタンであり、タッチペン１２９でメモを書いてから記録用表示ボタン１２４１をポイントするとメモ（イメージデータ）が画像と対応付けられてメモリーカードに記録される。記録したメモは縮小画像が表示されると同時にメモ欄１２３にイメージ表示される。
また、符号１２４２は画像／メモ消去用表示ボタンであり、タッチペン１２９でで画像／メモ消去用表示ボタン１２４２をポイントしてからメモまたは縮小画像をポイントするとポイントされたメモまたは画像が消去される（但し、画像がプロテクトされている場合には消去されない）。
【００７８】
符号１２５１、１２５２はスクロール用表示ボタンである。メモ欄１２３はシフト可能であり、タッチペン１２９で記入を続けると順次右にシフトして表示されているメモ欄１２３の桁数より大きい桁数のメモを記入できる。また、タッチペン１２９で所望のメモ欄をポイントしてからスクロールボタン１２５１（←）または１２５２（→）をポイントしてメモ欄１２３を左右にスクロールさせて見ることもできる。符号１２６は終了用表示ボタンであり、これをポイントすると画面がクリアされメモ帳が閉じられる。
【００７９】
上記電子メモはまた、縮小画像だけでなく記録画像も再生できるので、画像用アルバムとしても用いることができるし、工事現場等の作業記録等にも用いることができる。
また、上記実施例ではタッチペンで書いた文字をそのままイメージデータとして記録し、再生時にはイメージ表示（書いたままの文字を表示）したが、これに限定されず、電子メモ帳１２０を手書き文字認識手段を備えるように構成し、入力された手書き文字を文字認識して文字コードとして記録し、再生時には活字（フォント）表示するようにしてもよい。
【００８０】
＜変形実施例２＞
図１３は、本発明の画像検索装置の変形実施例としての音声出力型デジタルカメラの表示画面の一例を示す図である。なお、音声出力型デジタルカメラ１３０の構成は図１のデジタルカメラ１００で音声入出力装置を備えた場合と同様である。また、表示画面および表示内容は、説明上、音声マーク１３５以外は図８（ａ）の月別カレンダ表示画面と同一としてある。
【００８１】
音声出力型デジタルカメラ１３０では、撮影後に使用者が音声を入力できる。音声入力のタイミングは画像の撮影／記録時でもよく、再生／記録時でもよい。
このようにして入力された音声は音声データとしてメモリーカード５１の音声データ登録領域に画像データと対応づけて登録される。また、再生時に音声データ登録領域から読み出して音声に変換／再生され音声出力することができる。なお、画像データと音声データの対応づけは画像登録リスト６０に音声番号欄を設けて対応付けるようにできる。
【００８２】
音声出力型デジタルカメラ１３０で月別カレンダが表示されると図１３に示すように縮小画像が表示される。縮小画像のうち、音声入力がなされた画像に対応する縮小画像の上には音声マーク（実施例では逆三角形）１３５が表示される。使用者が、所望の縮小画像の音声マークをタッチペンや指でポイントすると入力した音声が再生され、出力される。使用者は縮小画像を見ながら出力される音声を聞いて撮影時の情景を思い出したりすることができる。また、入力時に一緒に撮った仲間の声を記録しておけばよりリアルな回想が可能となる。
【００８３】
上記各実施例の説明では、ある期間内の縮小画像をカレンダ形式で一覧表示した例について述べたがこれに限定されず、指定した条件（＝期間，撮影目的および撮影対象，撮影条件，ｅｔｃ）を満たす画像の縮小画像を所定の形式（＝カレンダ形式，メモ形式，２次元配置型式，ｅｔｃ）で表示するようにしてもよく、更に、このようにして一覧表示された縮小画像のなかから所望のものを指定して元の記録画像を取り出して再生／表示してもよい。
また、任意の期間（例えば、１２月３日〜１２月６日等）を自由に指定できるようにして、指定された期間中に撮影された画像を表示できるようにしてもよい。
【００８４】
ここで、撮影目的および撮影対象の例としては、記念撮影、旅行、レジャー、職務、図面、子供の成長過程等々が挙げられる。これらの撮影目的および撮影対象をコード化して前述の画像登録リストに登録し、検索表示時に編集テーブルを作成して指定された撮影目的および撮影対象等で条件付けられた撮影画像の縮小画像を抽出して表示できる。このようにすることにより、画像の検索範囲を絞ることができ、また、所望の画像を特定しやすくなる。
【００８５】
以上本発明の２、３の実施例について説明したが、本発明は上記実施例に限定されるものではなく、種々の変形実施が可能であることはいうまでもない。
【図面の簡単な説明】
【００８６】
【図１】本発明を適用した撮影画像表示装置の一実施例としてのデジタルカメラの回路構成例を示すブロック図である。
【図２】画像登録リストの構成例の説明図である。
【図３】メモリーカードの領域設定の一実施例の説明図である。
【図４】一覧表示手段の構成例を示すブロック図である。
【図５】カレンダ表示手段の構成例を示すブロック図である。
【図６】日付別編集テーブルの一実施例の説明図である。
【図７】年別カレンダ表示画面の一実施例を示す図である。
【図８】月別カレンダ表示画面の一実施例を示す図である。
【図９】日別カレンダ表示画面の一実施例を示す図である。
【図１０】一覧表示機能選択時の制御部の動作例を示すフローチャートである。
【図１１】代表縮小画像表示機能を付加した場合のフローチャートである。
【図１２】本発明の撮影画像表示装置の変形実施例としての電子メモ帳の表示画面の一例を示す図である。
【図１３】本発明の撮影画像表示装置の変形実施例としての音声出力型デジタルカメラの表示画面の一例を示す図である。
【符号の説明】
【００８７】
３８  カーソル移動キー
４０  表示装置
６０  画像登録リスト
６８  日付別編集テーブル
１００  デジタルカメラ
１１２  テーブル編集手段
１１３  カレンダ表示手段
１２０  電子メモ帳
１２９  タッチペン
１３０  音声出力型デジタルカメラ
１３５  音声マーク
【図１】
2006254481.tif 000003
【図２】
2006254481.tif 000004
【図３】
2006254481.tif 000005
【図４】
2006254481.tif 000006
【図５】
2006254481.tif 000007
【図６】
2006254481.tif 000008
【図７】
2006254481.tif 000009
【図８】
2006254481.tif 000010
【図９】
2006254481.tif 000011
【図１０】
2006254481.tif 000012
【図１１】
2006254481.tif 000013
【図１２】
2006254481.tif 000014
【図１３】
2006254481.tif 000015
【手続補正書】
【提出日】平成18年4月14日(2006.4.14)
【手続補正１】
【補正対象書類名】特許請求の範囲
【補正対象項目名】全文
【補正方法】変更
【補正の内容】
【特許請求の範囲】
【請求項１】
撮影画像及び該撮影画像の撮影情報を関連付けて複数記録する記録手段と、
表示手段と、
この表示手段の表示画面上に所定分類毎の表示欄を設定する第１の表示制御手段と、
この第１の表示制御手段により設定される所定分類毎の表示欄の中から、前記記録手段に記録されている撮影情報に基づき、該撮影情報と関連付けて前記記録手段に記録されている撮影画像を表示すべき表示欄を選択する表示欄選択手段と、
この表示欄選択手段により選択された表示欄内に前記撮影画像を表示する第２の表示制御手段とを具備し、
前記第１の表示制御手段により設定される所定分類毎の表示欄の中には、前記表示欄選択手段により選択されない表示欄が含まれることを特徴とする撮影画像表示装置。
【請求項２】
前記記録手段は、撮影画像及び該撮影画像の撮影時間情報を関連付けて複数記録する手段を含み、
前記第１の表示制御手段は、前記表示手段の表示画面上に所定期間毎の表示欄を設定する手段を含み、
前記表示欄選択手段は、前記第１の表示制御手段により設定される所定期間毎の表示欄の中から、前記記録手段に記録されている撮影時間情報に基づき、該撮影時間情報と関連付けて前記記録手段に記録されている撮影画像を表示すべき表示欄を選択する手段を含み、
前記第１の表示制御手段により設定される所定期間毎の表示欄の中には、前記表示欄選択手段により選択されない表示欄が含まれることを特徴とする請求項１記載の撮影画像表示装置。
【請求項３】
任意の期間を指定する期間指定手段を備え、
前記第１の表示制御手段は、前記期間指定手段により指定された期間内における所定期間毎の表示欄を設定することを特徴とする請求項２記載の撮影画像表示装置。
【請求項４】
前記第１の表示制御手段は、前記期間指定手段による任意の期間の指定がない場合に、現在に基づく期間内における所定期間毎の表示欄を設定することを特徴とする請求項３記載の撮影画像表示装置。
【請求項５】
前記期間指定手段は、年又は月を指定する手段を含み、
前記第１の表示制御手段は、前記期間指定手段により指定された年内又は月内における所定期間毎の表示欄を設定することを特徴とする請求項３又は４記載の撮影画像表示装置。
【請求項６】
前記第１の表示制御手段は、前記表示手段の表示画面上に月毎又は日毎の表示欄を設定することを特徴とする請求項２乃至５のいずれかに記載の撮影画像表示装置。
【請求項７】
前記表示欄選択手段は、前記第１の表示制御手段により設定される所定期間毎の表示欄のうち、前記記録手段に記録されている撮影時間情報が示す撮影時間を含む所定期間の表示欄を、該撮影時間情報と関連付けて前記記録手段に記録されている撮影画像を表示すべき表示欄として選択することを特徴とする請求項２乃至６のいずれかに記載の撮影画像表示装置。
【請求項８】
前記第２の表示制御手段により前記表示欄内に表示されている撮影画像のうち所望の撮影画像を指定する撮影画像指定手段と、
前記撮影画像指定手段により指定された撮影画像を拡大表示する第３の表示制御手段と
を具備したことを特徴とする請求項１乃至７のいずれかに記載の撮影画像表示装置。
【請求項９】
前記撮影画像は、縮小画像であり、
前記記録手段は、前記縮小画像、該縮小画像の元画像及び撮影情報を関連付けて複数記録する手段を含むことを特徴とする請求項１乃至７のいずれかに記載の撮影画像表示装置。
【請求項１０】
前記第２の表示制御手段により前記表示欄内に表示されている縮小画像のうち所望の縮小画像を指定する縮小画像指定手段と、
前記縮小画像指定手段により指定された縮小画像と関連付けて前記記録手段に記録されている元画像を表示する第３の表示制御手段と
を具備したことを特徴とする請求項９記載の撮影画像表示装置。
【請求項１１】
手動操作により一覧表示機能を選択する一覧表示機能選択手段を具備し、
前記第１、第２の表示制御手段、及び前記表示欄選択手段は、前記一覧表示機能選択手段により一覧表示機能が選択された場合に実行されることを特徴とする請求項１乃至１０のいずれかに記載の撮影画像表示装置。
【請求項１２】
被写体像を撮像し、撮影画像を出力する撮像手段を具備し、
前記記録手段は、前記撮像手段から出力された撮影画像と撮影情報とを関連付けて複数記録することを特徴とする請求項１乃至１１のいずれかに記載の撮影画像表示装置。
【請求項１３】
表示画面上に所定分類毎の表示欄を設定する第１の表示制御工程と、
この第１の表示制御工程により設定される所定分類毎の表示欄の中から、撮影画像及び該撮影画像の撮影情報を関連付けて複数記録する記録部に記録されている撮影情報に基づき、該撮影情報と関連付けて前記記録部に記録されている撮影画像を表示すべき表示欄を選択する表示欄選択工程と、
この表示欄選択工程により選択された表示欄内に前記撮影画像を表示する第２の表示制御工程とを含み、
前記第１の表示制御工程により設定される所定分類毎の表示欄の中には、前記表示欄選択工程により選択されない表示欄が含まれることを特徴とする撮影画像表示方法。
【手続補正２】
【補正対象書類名】明細書
【補正対象項目名】０００８
【補正方法】変更
【補正の内容】
【０００８】
上記目的を達成するため、第１の発明の撮影画像表示装置は、撮影画像及び該撮影画像の撮影情報を関連付けて複数記録する記録手段と、表示手段と、この表示手段の表示画面上に所定分類毎の表示欄を設定する第１の表示制御手段と、この第１の表示制御手段により設定される所定分類毎の表示欄の中から、前記記録手段に記録されている撮影情報に基づき、該撮影情報と関連付けて前記記録手段に記録されている撮影画像を表示すべき表示欄を選択する表示欄選択手段と、この表示欄選択手段により選択された表示欄内に前記撮影画像を表示する第２の表示制御手段とを具備し、前記第１の表示制御手段により設定される所定分類毎の表示欄の中には、前記表示欄選択手段により選択されない表示欄が含まれることを特徴とする。
【手続補正３】
【補正対象書類名】明細書
【補正対象項目名】０００９
【補正方法】変更
【補正の内容】
【０００９】
第２の発明の撮影画像表示装置は、第１の発明において、前記記録手段は、撮影画像及び該撮影画像の撮影時間情報を関連付けて複数記録する手段を含み、
前記第１の表示制御手段は、前記表示手段の表示画面上に所定期間毎の表示欄を設定する手段を含み、前記表示欄選択手段は、前記第１の表示制御手段により設定される所定期間毎の表示欄の中から、前記記録手段に記録されている撮影時間情報に基づき、該撮影時間情報と関連付けて前記記録手段に記録されている撮影画像を表示すべき表示欄を選択する手段を含み、前記第１の表示制御手段により設定される所定期間毎の表示欄の中には、前記表示欄選択手段により選択されない表示欄が含まれることを特徴とする。
【手続補正４】
【補正対象書類名】明細書
【補正対象項目名】００１０
【補正方法】変更
【補正の内容】
【００１０】
第３の発明の撮影画像表示装置は、第２の発明において、任意の期間を指定する期間指定手段を備え、前記第１の表示制御手段は、前記期間指定手段により指定された期間内における所定期間毎の表示欄を設定することを特徴とする。
【手続補正５】
【補正対象書類名】明細書
【補正対象項目名】００１１
【補正方法】変更
【補正の内容】
【００１１】
第４の発明の撮影画像表示装置は、第３の発明において、前記第１の表示制御手段は、前記期間指定手段による任意の期間の指定がない場合に、現在に基づく期間内における所定期間毎の表示欄を設定することを特徴とする。
【手続補正６】
【補正対象書類名】明細書
【補正対象項目名】００１２
【補正方法】変更
【補正の内容】
【００１２】
第５の発明の撮影画像表示装置は、第３又は第４の発明において、前記期間指定手段は、年又は月を指定する手段を含み、前記第１の表示制御手段は、前記期間指定手段により指定された年内又は月内における所定期間毎の表示欄を設定することを特徴とする。
【手続補正７】
【補正対象書類名】明細書
【補正対象項目名】００１３
【補正方法】変更
【補正の内容】
【００１３】
第６の発明の撮影画像表示装置は、第２〜第５の発明のいずれかにおいて、前記第１の表示制御手段は、前記表示手段の表示画面上に月毎又は日毎の表示欄を設定することを特徴とする。
【手続補正８】
【補正対象書類名】明細書
【補正対象項目名】００１４
【補正方法】変更
【補正の内容】
【００１４】
第７の発明の撮影画像表示装置は、第２〜第６の発明のいずれかにおいて、前記表示欄選択手段は、前記第１の表示制御手段により設定される所定期間毎の表示欄のうち、前記記録手段に記録されている撮影時間情報が示す撮影時間を含む所定期間の表示欄を、該撮影時間情報と関連付けて前記記録手段に記録されている撮影画像を表示すべき表示欄として選択することを特徴とする。
第８の発明の撮影画像表示装置は、第１〜第７の発明のいずれかにおいて、前記第２の表示制御手段により前記表示欄内に表示されている撮影画像のうち所望の撮影画像を指定する撮影画像指定手段と、前記撮影画像指定手段により指定された撮影画像を拡大表示する第３の表示制御手段とを具備したことを特徴とする。
第９の発明の撮影画像表示装置は、第１〜第７の発明のいずれかにおいて、前記撮影画像は、縮小画像であり、前記記録手段は、前記縮小画像、該縮小画像の元画像及び撮影情報を関連付けて複数記録する手段を含むことを特徴とする。
【手続補正９】
【補正対象書類名】明細書
【補正対象項目名】００１５
【補正方法】変更
【補正の内容】
【００１５】
第１０の発明の撮影画像表示装置は、第９の発明において、前記第２の表示制御手段により前記表示欄内に表示されている縮小画像のうち所望の縮小画像を指定する縮小画像指定手段と、前記縮小画像指定手段により指定された縮小画像と関連付けて前記記録手段に記録されている元画像を表示する第３の表示制御手段とを具備したことを特徴とする。
第１１の発明の撮影画像表示装置は、第１〜第１０の発明のいずれかにおいて、手動操作により一覧表示機能を選択する一覧表示機能選択手段を具備し、前記第１、第２の表示制御手段、及び前記表示欄選択手段は、前記一覧表示機能選択手段により一覧表示機能が選択された場合に実行されることを特徴とする。
被写体像を撮像し、撮影画像を出力する撮像手段を具備し、
第１２の発明の撮影画像表示装置は、第１〜第１１の発明のいずれかにおいて、前記記録手段は、前記撮像手段から出力された撮影画像と撮影情報とを関連付けて複数記録することを特徴とする。
【手続補正１０】
【補正対象書類名】明細書
【補正対象項目名】００１６
【補正方法】変更
【補正の内容】
【００１６】
第１３の発明の撮影画像表示方法は、表示画面上に所定分類毎の表示欄を設定する第１の表示制御工程と、この第１の表示制御工程により設定される所定分類毎の表示欄の中から、撮影画像及び該撮影画像の撮影情報を関連付けて複数記録する記録部に記録されている撮影情報に基づき、該撮影情報と関連付けて前記記録部に記録されている撮影画像を表示すべき表示欄を選択する表示欄選択工程と、この表示欄選択工程により選択された表示欄内に前記撮影画像を表示する第２の表示制御工程とを含み、前記第１の表示制御工程により設定される所定分類毎の表示欄の中には、前記表示欄選択工程により選択されない表示欄が含まれることを特徴とする。
【手続補正１１】
【補正対象書類名】明細書
【補正対象項目名】００１７
【補正方法】変更
【補正の内容】
【００１７】
以上説明したように、画像の記録状態の把握および検索が容易になる。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】